(57)【特許請求の範囲】
【請求項１】
軸部材と、
該軸部材の一端部を包囲するように前記軸部材に切断容易に設けられ、前記軸部材とともに密封空間を形成し、その密封空間内に化粧料を収容した容器部と、
前記密封空間内に位置するように前記軸部材に設けられた化粧用塗布部と、
前記密封空間外に位置するように前記軸部材に設けられた把持部とを有し、
前記軸部材、前記容器部、及び前記把持部は、柔軟合成樹脂材料により一体に形成されて成り、
前記容器部は、前記軸部材が設けられた部位に、前記密封空間内に延びる環状リブを有し、前記軸部材は、前記容器部から切断され、前記容器内に押し込まれたときに、前記環状リブに嵌合可能な容器閉塞部を有することを特徴とする化粧用塗布具。
【請求項２】
前記軸部材と前記容器部とは、前記把持部に加えられた力により切断される請求項１に記載の化粧用塗布具。
【請求項３】
前記容器部は、前記軸部材に、その周面を周回するように設けられた肉薄切断部と、該肉薄切断部よりも肉厚である、化粧料を収容することのできる容器本体部とを有する請求項２に記載の化粧用塗布具。
【請求項４】
前記化粧用塗布部は、捩りブラシ部である請求項１〜３のいずれか１項に記載の化粧用塗布具。
【請求項５】
前記化粧用塗布部は、筆ブラシ部である請求項１〜３のいずれか１項に記載の化粧用塗布具。
【請求項６】
マスカラ用又はマニキュア用である請求項１〜５のいずれか１項に記載の化粧用塗布具。
【発明の詳細な説明】
【０００１】
【発明の属する技術分野】
この発明は、化粧用塗布具に関し、さらに詳しくは、低コストで製造することができ、供試用サンプル等として好適に使用することのできる化粧用塗布具に関する。
【０００２】
【従来の技術】
マスカラ及びマニキュア等の化粧料は、まず試しに使ってみなければ、その品質の良さを把握することができない。したがって、化粧料の新製品の販売にあたっては、その化粧料の供試用サンプルを一般需要者に配布して、その化粧料を試用してもらい、その品質の良さを一般需要者に理解してもらうことが必要である。
【０００３】
この供試用サンプルは、一般需要者が手軽に試用することができるように、化粧料を収容した容器ととともに、その化粧料の塗布に使用する塗布部材を備えた化粧用塗布具であることが望ましい。また、この供試用サンプルは、大量に配布する必要があるので、低コストで製造することができる必要があり、また街頭での配布又は郵送による配布に便利なように、小型であること、軽量であること、及び破損しにくいこと等が要求される。
【０００４】
マスカラ用等の化粧料塗布具は、ガラス等を材料とした硬質容器と、この容器のキャップに設けられたブラシ等の塗布部材とからなるのが一般的である。この化粧用塗布具は、ガラス等を材料として使用しているので、重く、破損しやすいので、配布を必要とする供試用サンプルとしては適さない。
【０００５】
また、軽量で、破損しにくく、携帯に適した化粧用塗布具としては、ポリエチレン等の軟質合成樹脂材料からなり、シゴキ部を有し、一端が開口した化粧料を収容する収容部と、この収容部を閉塞すべく収容部に着脱可能に設けたキャップと、このキャップに設けられ、このキャップを前記収容部に装着すると、前記収容部内に位置する塗布部材とを有する化粧用塗布具が開示されている（特開平０９−１８２６１６号公報参照）。
【０００６】
しかし、この化粧用塗布具は、複数の独立した部品から構成され、しかも構造が複雑であるので、製造コストが高くなる欠点がある。したがって、この化粧用塗布具は、大量に配布することが必要な供試用サンプルとして使用するには適していない。
【０００７】
この以外にも、化粧料の供試用サンプルとして好適な化粧用塗布具は、現在まで開発されていない。
【０００８】
【発明が解決しようとする課題】
この発明は、従来の化粧用塗布具が有する前記欠点を解消することを目的とする。即ち、この発明の目的は、低コストで製造することができ、軽量で、破損しにくく、さらに化粧料の塗布が容易な化粧用塗布具を提供することである。
【０００９】
【課題を解決するための手段】
前記目的を達成するためのこの発明は、軸部材と、該軸部材の一端部を包囲するように前記軸部材に切断容易に設けられ、前記軸部材とともに密封空間を形成し、その密封空間内に化粧料を収容した容器部と、前記密封空間内に位置するように前記軸部材に設けられた化粧用塗布部と、前記密封空間外に位置するように前記軸部材に設けられた把持部とを有し、前記軸部材、前記容器部、及び前記把持部は、柔軟合成樹脂材料により一体に形成されて成り、前記容器部は、前記軸部材が設けられた部位に、前記密封空間内に延びる環状リブを有し、前記軸部材は、前記容器部から切断され、前記容器内に押し込まれたときに、前記環状リブに嵌合可能な容器閉塞部を有することを特徴とする化粧用塗布具であり、
前記化粧用塗布具の好適な態様として、
前記軸部材と前記容器部とは、前記把持部に加えられた力により切断され、
前記容器部は、前記軸部材に、その周面を周回するように設けられた肉薄切断部と、該肉薄切断部よりも肉厚である、化粧料を収容することのできる容器本体部とを有し、
前記化粧用塗布部は、捩りブラシ部であり、
前記化粧用塗布部は、筆ブラシ部であり、
前記化粧用塗布具は、マスカラ用又はマニキュア用である。
【００１０】
【発明の実施の形態】
この発明に係る化粧用塗布具の一具体例である化粧用塗布具１を図１、図２及び図３に示す。図１は、化粧用塗布具１の平面図であり、図２は、化粧用塗布具１の正面図であり、図３は、化粧用塗布具１の断面平面図である。化粧用塗布具１は、マスカラ用の化粧用塗布具である。
【００１１】
化粧料塗布具１は、軸部材２と、ブラシ部３と、把持部４と、容器部５とを有する。軸部材２、把持部４、及び容器部５は、一体成形されており、その材料は、柔軟合成樹脂材料である。前記柔軟合成樹脂材料としては、例えばポリエチレン及びポリプロピレンを挙げることができる。
【００１２】
軸部材２は、円柱状の部材である。軸部材２は、その一端部にブラシ部３を有し、その他端部に把持部４を有する。また、軸部材２には、その外周部における把持部４寄りの部位に容器部５が設けられている。
【００１３】
軸部材２は、容器部５とともにマスカラを収容する密封空間６を形成し、また、容器部５から切り離されたときに、ブラシ部３及び把持部４とともに化粧用ブラシを形成する部材である。また、軸部材２は、前記化粧用ブラシにおいて、把持部４とブラシ部３との間に所定の間隔を設けることにより、マスカラの塗布作業を行いやすくし、またブラシ部３に保持されたマスカラが把持部４を持つ指に付着することを防止する機能を有する。
【００１４】
軸部材２の大きさは、前記化粧用ブラシをマスカラの塗布に効果的に使用することができる程度の大きさであればよく、容器部５の大きさとの相対的な関係に基づいて決定される。例えば、軸部材２の長さは、５〜１５０ｍｍとすることができ、軸部材２の直径は、１．５〜１５ｍｍとすることができる。
【００１５】
化粧用塗布部であるブラシ部３は、密封空間６内に位置するように軸部材２の先端部に設けられている。ブラシ部３は、捩りブラシ部であり、化粧用塗布具１においてマスカラを塗布する部位である。ブラシ部３の拡大側面図を図４に示す。
【００１６】
ブラシ部３は、軸体部８とブラシ毛９とを有する。
軸体部８は、ブラシ毛９を保持する部材である。図５に、軸体部８のみの構造を示す。軸体部８は、例えばステンレス材又はその他の鋼材で形成される軸線１０を、折り曲げ点１１でヘアピン状に折り曲げて、さらに二重螺旋状に捩ることによって形成される。軸体部８は、固定部１２及び保持部１３を有する。固定部１２は、軸線１０の両末端部が並行する部分であり、ブラシ毛９を保持せず、軸部材２に固定される部分であり、保持部１３は、軸体部８における折り曲げ点１１から一定区間を占める部分であり、ブラシ毛９を保持する部分である。実際のブラシ部３の形成時には、保持部１３にブラシ毛９が挟持される。したがって、軸体部８は、軸線１０における、保持部１３を形成する部分においてブラシ毛９を挟持することができる程度に、軸線１０を堅固に螺旋状に巻くことにより形成される。
【００１７】
軸体部８の長さは、前記化粧用ブラシをマスカラの塗布に効果的に使用することができる程度の大きさであればよく、容器部５の大きさ及び軸部材２の長さとの相対的な関係に基づいて決定され、例えば１０〜３０ｍｍにすることができる。
【００１８】
軸体部８の直径、正確に言うと、軸体部８をその軸線に直交する平面に投影したときに得られる投影図における直径は、化粧用ブラシ７を用いてマスカラの塗布を効果的に行うことができる程度の大きさであればよく、例えば０．３〜３ｍｍにすることができる。
【００１９】
軸線１０の直径は、ブラシ部３を形成することができる程度の大きさに決定され、例えば、通常の化粧用のブラシに使用される軸線の直径と同程度にすることができ、例えば０．２〜１．５ｍｍにすることができる。
【００２０】
ブラシ毛９は、軸体部８とともにブラシ部３を形成する。ブラシ毛９は、軸体部８の保持部１３に保持されている。ブラシ毛９は、その所望本数が、図５に示されたヘアピン状に成形された軸線１０における、保持部１３に対応する部分に挟み込まれ、前記のように軸線１０を成形することにより、軸体部８に保持される。１本のブラシ毛９は、軸体部８を形成した軸線１０における互いに隣接し合う部分に挟持されて、その両端部を軸体部８外に突出させた状態で軸体部８に保持される。したがって、前記所望本数のブラシ毛９は、軸体部８を形成する軸線１０に沿って、連続して螺旋状に保持されている。
【００２１】
ブラシ毛９の長さは、マスカラの塗布が好適に行えるように決定され、例えば、３〜１５ｍｍであると、化粧用塗布具１の使い勝手が良い点で好適である。ブラシ毛９の直径は、化粧用塗布具１の使用目的及び挟持ブラシ毛５の材料等に応じて適宜に決定することができる。
【００２２】
ブラシ毛９の材料としては、マスカラの塗布が可能であり、所定の強度を確保することができる材料であればよく、目的に応じて適宜に決定することができ、例えば、通常の化粧用捩りブラシの使用される材料と同様にすることができる。このような材料としては、例えば、綿、亜麻、マニラ麻、及びヤシ等の植物繊維、馬毛、山羊毛、及び羊毛等の哺乳類系動物繊維、蚕糸、及びくも絹等の非哺乳類系動物繊維、石綿等の鉱物繊維、レーヨン、キュプラ、及びけん化アセテート等の再生繊維、アセテート、及びエチルセルロース等の半合成繊維、ポリアミド系、ポリビニルアルコール系、ポリ塩化ビニリデン系、ポリ塩化ビニル系、ポリアクリロニトリル系、ポリエステル系、ポリエチレン系、ポリプロピレン系、ポリウレタン系、ポリ青化ビニリデン系、ポリフルオロエチレン系、及びポリスチレン系等の合成繊維、並びに、金属繊維、ガラス繊維、及び岩石繊維等の無機繊維を挙げることができる。
【００２３】
前記材料の中では、ポリアミド系、ポリエチレン系、及びポリアクリロニトリル系等の合成繊維が、大量生産が容易で、安価であり、直径及び長さ等を自由に設定することができる点で好適である。
【００２４】
ブラシ毛９の本数としては、マスカラの塗布が可能である程度の本数であればよく、目的に応じて適宜に決定することができる。
【００２５】
ブラシ部３は、固定部１２を、軸部材２の先端部に設けられた穴２３内に嵌入されることによって、軸部材２に装着されている。
【００２６】
把持部４は、前記化粧用ブラシの使用時に手で持つ部分である。把持部４は、中空体であり、円筒部１４と端面部１５とを有する。円筒部１４は、その一端を端面部１５により閉塞され、その他端が開口している。軸部材２は、端面部１５の外面に設けられている。把持部４の大きさは、化粧用ブラシ７を用いてマスカラの塗布作業を行いやすければ特に制限はない。
【００２７】
容器部５は、中空体であって、軸部材２に、軸部材２の周面を周回するように設けられ、軸部材２とともに密封空間６を形成し、その内部に、ブラシ部３、及び、軸部材２の、ブラシ部３が結合した端部から容器部５が設けられた部位までの部分を収容している。また、容器部５は、密封空間６内にマスカラ（図示せず）を収容している。したがって、容器部５内においてブラシ部３はマスカラに浸っている。
【００２８】
容器部５は、肉薄切断部１６と容器本体部１７とを有する。図６に、化粧用塗布具１の、肉薄切断部１６を含む部分の拡大断面平面図を示す。肉薄切断部１６は、軸部材２に、その周面を周回するように設けられた環状の部分であり、容器本体部１７よりも肉薄である。一方、容器本体部１７は、容器部５における肉薄切断部１６以外の部分である。容器部５は、肉薄切断部１６が破断されることによって、軸部材２から分離される。容器部５は、軸部材２から分離されると、マスカラを収容する部材として機能する容器２４を形成する。一方、軸部材２は、容器部５から分離されると、ブラシ部３及び把持部４とともに、マスカラを塗布する器具として機能する化粧用ブラシ７を形成する。容器部５が軸部材２から分離された状態における化粧用塗布具１を図１０に示す。
【００２９】
容器本体部１７は、肩部１８、胴部１９及び末端部２０を有する。容器本体部１７において、肩部１８は、肉薄切断部１６の外周部に設けられ、肉薄切断部１６から離れるに従って漸次広がる部分であり、胴部１９は、肩部１８の外縁部に設けられ、図２に示したように肩部１８から離れるに従って漸次一方向に狭まる部分であり、末端部２０は、胴部１９の狭まった側の端部において、胴部１９を閉口する部分である。
【００３０】
胴部１９及び末端部２０は、化粧用塗布具１に製造時に、図７に示したように、肩部１８の外縁部に設けられた筒状体２１の開口部２２を熱融着することにより形成され、筒状体２１のうちの、熱融着された部分が末端部２０であり、熱融着されていない部分が胴部１９である。したがって、末端部２０は、胴部１９よりも肉厚である。
【００３１】
容器本体部１７は、通常の使用時、運搬時、及び保存時において破損等が発生することがなく、また使用時に不便にならない程度の厚みを有する。このような条件を満たす肩部１８及び胴部１９の厚みは、化粧用塗布具１に使用される材料の性質や化粧用塗布具１の大きさに応じて決定されるが、例えば、０．１〜１．５ｍｍである。
【００３２】
肉薄切断部１６の厚みは、指で把持部４に、捩り、押し、又は引っ張り等の力を作用させることによって容易に破断され、一方、通常の使用時、運搬時、及び保存時に化粧用塗布部１に加わる圧力等によっては破断されない程度の強度を確保することのできる大きさを有する。肉薄切断部１６は、一定の厚みを有している必要はなく、上記の条件が満たされるように、容器本体部１７に比較して肉薄に形成されていればよい。肉薄切断部１６の厚みは、例えば化粧用塗布具１に使用される材料の性質、化粧用塗布具１の大きさ、及び容器本体部１７の厚みに応じて決定される。前記のような条件を満たす肉薄切断部１６の、最も肉薄になっている部分の厚みとしては、例えば、０．０５〜０．５ｍｍである。
【００３３】
容器部５の大きさは、その中に収容されるマスカラの量やブラシ部３及び軸部材２の大きさとの関係において決定されるが、例えば、その最大径が５〜３０ｍｍであり、その長さが１５〜１５０ｍｍであると、化粧用塗布具１を供試用サンプルとして好適に使用することができる。
【００３４】
以上のような構造を有する化粧用塗布具１は、以下のように作用する。
化粧用塗布具１は、使用前の初期状態においては、密封空間６内に充分量のマスカラを保持しており、密封空間６内に存在するブラシ部３はそのマスカラ内に浸されている。
【００３５】
化粧用塗布具１の容器部５及び把持部４を指で掴み、把持部４に、図８の矢印Ａで示した方向に力を加える捩り作用、図８の矢印Ｂで示した方向に力を加える押し作用、又は図８の矢印Ｃで示した方向に力を加える引っ張り作用を及ぼす。この作用による力が軸部材２に伝わり、この力に容器部５の肉薄切断部１６が抗しきれず、肉薄切断部１６は破断される。なお、把持部４に対する力の加え方は、肉薄切断部１６が的確に破断されれば、上記以外の加え方であってもよい。以上により、化粧用塗布具１は、図１０に示されるように、軸部材２と容器部５とが切り離され、軸部材２から形成された軸体２５、ブラシ部３、及び把持部４からなる化粧用ブラシ７と、容器部５から形成された容器２４とに分離される。また、容器２４は、容器部５が軸部材２から切り離されることによって形成される開口２６を有する。
【００３６】
肉薄切断部１６は、破断容易なように充分に肉薄に形成されているので、上記のいずれかの作用により容易に破断される。また、化粧用塗布具１の肉薄切断部１６以外の部分は、肉薄切断部１６よりも強固に形成されているので、上記の作用により、肉薄切断部１６より先に破断されることはない。一方、肉薄切断部１６は、通常の使用時、運搬時、又は保存時に化粧用塗布具１に加えられる圧力によって容易には破断されることのない程度の強度を確保しているので、意図的に上記のような作用が把持部４に加えられない限りは、破断されることはほとんどない。
【００３７】
化粧用ブラシ７は、図８に示した矢印Ｃの方向に把持部４を引くことによって、容器２４内にあった軸体２５の一部及びブラシ部３は、容器２４外に引き抜かれる。図９は、化粧用ブラシ７が容器２４から引き出される状態を示す化粧用ブラシ７及び容器２４の断面図である。図１０は、化粧用ブラシ７が容器２４から引き出された状態を示す化粧用ブラシ７及び容器２４の斜視図である。
【００３８】
このとき、ブラシ部３のブラシ毛９は、軸体２５の周外方向に突出しており、また開口２６の大きさは実質的に軸体２５の断面の大きさと同等であるので、図９に示したように、ブラシ部３のブラシ毛９は、容器２４の、開口２６を形成する部分である開口部２７に接触しながら容器２４の外に引き出される。
【００３９】
前述のようにブラシ部３は、容器２４内ではマスカラ中に浸されており、この状態では、ブラシ毛９間に、マスカラの塗布を行うには過剰な量のマスカラを保有しているが、ブラシ部３が容器２４から引き出されるときに、前記のようにブラシ毛９が開口部２７と接触しながら開口２６を通過するので、ブラシ部３に保有されていた過剰分のマスカラが開口部２７で掻き落とされる。このことにより、容器２４から引き出されたブラシ部３には適量のマスカラが保持され、好適なマスカラの塗布を行うことができる。したがって、ブラシ部３が容器２４から引き出された後、ブラシ部３に保持されていた過剰分のマスカラが垂れ落ちたり、睫毛に過剰量のマスカラが塗布されたりする不都合が起こることがない。
【００４０】
化粧用ブラシ７は、容器２４から引き出された後は、通常の捩りブラシと同様にして、マスカラの塗布に使用することができる。ブラシ部３に保持されるマスカラ量が少なくなったときには、化粧用ブラシ７を開口２６から容器２４内に挿入して、ブラシ部３を容器２４内のマスカラに浸し、再度ブラシ部３にマスカラを保持させ、上記の操作を繰り返してマスカラの塗布を行うことができる。
【００４１】
容器２４内のマスカラの量が少なくなり、化粧用ブラシを容器２４内に挿入しただけではブラシ部３が容器２４内のマスカラに充分に浸らず、ブラシ部３に充分量のマスカラを保持させることができなくなったときには、容器２４の腹部２８を押圧して、容器２４内の容積を小さくすることによって、ブラシ部３を容器２４内のマスカラに充分に浸し、ブラシ部３に充分量のマスカラを保持させることができる。したがって、化粧用塗布具１においては、化粧用塗布具１内に収容されたマスカラを無駄なく利用することが可能である。
【００４２】
また、マスカラは凝固しやすいが、化粧用塗布具１においては、容器２４の腹部２８を押圧することによって、容器２４内のマスカラが攪拌されて、マスカラの凝固を防止することができる。
【００４３】
化粧用塗布具１の製造方法の一具体例を、図１１〜１３を用いて説明する。図１１〜１３は、すべてそれぞれの対象物の断面正面図である。まず、ポリエチレン等の合成樹脂を材料として、図１１に示した、軸部材２、把持部４、肉薄切断部１６，肩部１８、及び筒状体２１を有する塗布具前駆体２９を射出成形により一体成形する。また、捩りブラシを製造する公知の方法によりブラシ部３を製造する。図１２に示したように、塗布具前駆体２９の軸部材２の先端に設けられた穴２３内に、ブラシ部３の固定部１２を嵌入させ、ブラシ部３を軸部材２に装着する。ブラシ部３が装着された塗布具前駆体２９の開口３０を上向きにして、軸部材２、肉薄切断部１６，肩部１８、及び筒状体２１により形成される内部空間３１内に所定量のマスカラ３２を充填する。図１３に示したように、塗布具前駆体２９の開口部２２を熱融着することによって、開口部２２を閉口する。以上により、化粧用塗布具１が完成される。
【００４４】
化粧用塗布具１は、以上のように、ブラシ部３以外の部分が一体成形され、構成部品数が少なく、製造方法も簡易であるので、製造コストを低くすることができる。また、化粧用塗布具１は、柔軟合成樹脂材料で製造されるので、軽量であり、破損しにくい。したがって、化粧用塗布具１は、供試用サンプルとして好適に使用することができ、その他、旅行携帯用の化粧用塗布具、又はホテルで客に提供する化粧用塗布具として好適に使用することができる。
【００４５】
化粧用塗布具１は、この発明の目的を達成することができる範囲内で適宜変更を加えることが可能である。
【００４６】
化粧用塗布具１は、図８に示したように、捩り、押し、及び引っ張りの各作用によって肉薄切断部１６を破断することができるが、図１４及び図１５に示したような、軸部材３６に加わる力に応じて、軸部材３６との角度を変化させながら移動可能な肩部３３を有する化粧用塗布具３４であると、押し及び引っ張りの各作用によって肉薄切断部を破断することが容易になる。
【００４７】
化粧用塗布具３４では、図１４に示したように、把持部３５を引っ張ると、つまり図１４に示された矢印の方向に力を作用させると、肩部３３も把持部３５側に移動し、その結果、力が付加される方向と肩部３３との成す角が大きくなり、軸部材３６と肩部３３とに挟まれた肉薄切断部３７は切り裂かれやすくなる。一方、図１５に示したように、把持部３５を容器部３８側に押し込むと、つまり図１５に示された矢印の方向に力を作用させると、肩部３３も容器部３８側に移動し、その結果、力が付加される方向と肩部３３との成す角が大きくなり、軸部材３６と肩部３３とに挟まれた肉薄切断部３７は切り裂かれやすくなる。このような作用は、肩部３３を肉薄にして、肩部３３全体に可撓性を持たせたり、肩部３３と胴部３９との境界部を肉薄にして、肩部３３と胴部３９との角度の変化が容易になるようにしたりすることにより実現することができる。
【００４８】
化粧用塗布具１では、図１０に示したように、肉薄切断部１６を破断した後は、開口２６が形成され、これを閉塞する手段を有していない。したがって、化粧用塗布具１では、マスカラを長期間保存して、複数回使用することには適さない。つまり、化粧用塗布具１は、実質的に一回の使用しかできない。したがって、化粧用塗布具１においては、一回の使用で使用し切れなかったマスカラが無駄になることになる。また、化粧用塗布具１においては、これを供試用サンプルとして使用した場合に、一回だけの使用しかできないので、その化粧料の品質を十分に把握することができないという不都合を生ずる場合もある。さらに、化粧用塗布具１においては、開封後にこれを閉塞することができないので、容器２４内のマスカラが零れやすいという欠点もある。
【００４９】
このような不都合を回避する化粧用塗布具として、図１６及び図１７に示した化粧用塗布具４１を挙げることができる。化粧用塗布具４１は、肉薄切断部５６周辺の構造に特徴があり、他の部分は、例えば化粧用塗布具１と同様であって構わない。したがって、図１６及び図１７には、化粧用塗布具４１における肉薄切断部５６の周辺のみの断面図が示されており、また以下の説明においては、化粧用塗布具４１における、化粧用塗布具１との相違点に関連する事項についてのみ記載する。
【００５０】
化粧用塗布具４１は、軸部材４２と、ブラシ部（図示せず）と、把持部４４と、容器部４５とを有する。
【００５１】
軸部材４２は、容器閉塞部６０及び軸部６１を有する。軸部６１は円柱状体であり、その一端部に前記ブラシ部を有する。容器閉塞部６０は、軸部６１よりも大きい直径を有する円柱状体であり、軸部６１の、前記ブラシ部が設けられた端部とは反対側の端部に、軸部６１と軸線を一致させて設けられている。容器閉塞部６０の、軸部６１が設けられた端部とは反対側の端部に把持部４４が設けられている。容器閉塞部６０における、軸部６１が設けられた端部側の周縁部に容器部４５の肉薄切断部５６が設けられている。
【００５２】
容器部４５は、化粧用塗布具１の場合と同様に肉薄切断部５６及び容器本体部５７を有し、さらに、容器本体部における肉薄切断部が設けられた部位に、密封空間４６内に延びる環状リブ６２を有する。環状リブ６２は、容器閉塞部６０が容器部４５から切り離されることにより形成される栓体部６３が環状リブ６２に嵌入することができる程度の内径を有する。つまり、環状リブ６２の内径は、容器閉塞部６０の直径よりも若干小さく、また、軸部６１の直径よりも大きく設計されている。
【００５３】
化粧用塗布具４１は、以下のように作用する。肉薄切断部５６を破断する方法は、化粧用塗布具１の場合と同様である。肉薄切断部を破断することにより、化粧用塗布具４１は、化粧用ブラシ４７と容器６４とに分離される。化粧用ブラシ４７は、容器６４から引き出されて、通常のマスカラブラシと同様にマスカラの塗布に使用される。
【００５４】
マスカラの塗布作業が終了したときには、化粧用ブラシ４７の前記ブラシ部及び軸部６１を容器６４内に挿入し、さらに化粧用ブラシ４７を容器６４内に押し込むと、前述のように、容器閉塞部６０が容器部４５から切り離されることにより形成された栓体部６３は、環状リブ６２に嵌入することができる大きさを有するので、図１７に示したように環状リブ６２内に嵌挿される。化粧用塗布具４１は、柔軟合成樹脂材料で製造されているので、栓体部６３が環状リブ６２内に嵌挿されることにより、容器６４は、化粧用ブラシ４７により密封される。
【００５５】
したがって、化粧用塗布具４１においては、まだ容器６４内にマスカラが残っている場合に、前記のように容器６４を化粧用ブラシ４７で密封することにより、そのマスカラが零れるのを防止することができる。また、上記のように密封することにより、容器６４内のマスカラを保存することができる。したがって、化粧用塗布具４１においては、使用し切れなかったマスカラが無駄になることがなく、また数度にわたってそのマスカラの試用が可能になるので、化粧用塗布具４１を供試用サンプルとして使用した場合に、そのマスカラの品質を十分に把握することが可能になる。
【００５６】
化粧用塗布具４１においては、軸部材４２、把持部４４、肉薄切断部５６、容器本体部５７及び環状リブ６２を一体に成形することができ、また製造方法も、化粧用塗布具１の場合と同様にすることができる。したがって、化粧用塗布具４１においても、化粧用塗布具１と同様に、製造コストを低くすることができ、軽量であり、破損しにくい。したがって、化粧用塗布具４１は、供試用サンプルとして好適に使用することができ、その他、旅行携帯用の化粧用塗布具、又はホテルで客に提供する化粧用塗布具として好適に使用することができる。
【００５７】
この発明に係る化粧用塗布具である上記化粧用塗布具においては、軸部材と容器部との間に肉薄切断部を設けることによって、両者を切断容易にしているが、この発明に係る化粧用塗布具においては、これ以外の手段によって、軸部材と容器部とを切断容易にすることも可能である。
【００５８】
化粧用塗布具１における化粧用塗布部であるブラシ部３は、直線状の形状を有するが、化粧用塗布具１におけるブラシ部は、マスカラの塗布をおこなうことができれば他の形状であってもよく、例えば、図１８に示すようなループ状の捩りブラシ部であるブラシ部７０であってもよい。ブラシ部７０は、その先端部においてもマスカラの塗布が可能であるので、化粧用ブラシを横方向だけでなく縦方向に構えてもマスカラの塗布を行うことができ、マスカラの塗布方法が多様になる利点を有する。
【００５９】
この発明に係る化粧用塗布具における化粧用塗布部は、化粧用塗布具１の場合のような捩りブラシ部でなくても、マスカラの塗布を好適にすることができれば他の部材であってもよく、例えば、図２０に示すような筆ブラシ部６５でもよく、また図１９に示すようなフロッキーブラシ部６６であってもよい。
【００６０】
筆ブラシ部６５は、例えば、図２１に示すようにして製造することができる。図２１に示すように、軸部材７３の、化粧用塗布部を装着する側の先端に円柱状突起６７を設ける。その円柱状突起６７に嵌合可能な管状金具６９の内部に、所定本数のブラシ毛６８の先端部を、管状金具６９の内周面に沿って挿入する。その状態で管状金具６９を円柱状突起６７に嵌め込む。以上により、図２０に示した筆ブラシ部６５が形成される。さらに必要があれば、図２２に示すように、円柱状突起６７に嵌め込まれた管状金具６９の、ブラシ毛６８を保持する部分に圧力を加えて、その部分を凹状にすることもできる。このようにして製造されたブラシ部７１は、前記のようにして形成された凹部７４を有するので、管状金具７２と円柱状突起６７との間にブラシ毛６８をより確実に保持することが可能である。筆ブラシ部６５又はブラシ部７１を有する化粧用塗布具における、筆ブラシ部６５又はブラシ部７１以外の部分は、化粧用塗布具１の場合と同様にして製造することができる。
【００６１】
フロッキーブラシ部６６は、公知の方法、例えば、軸部材の、化粧用塗布部を設ける部分に接着剤を塗布し、そこに多数本の植毛用ブラシ毛を静電植毛させる方法により、製造することができる。
【００６２】
ブラシ部を軸部材に固定する方法は、化粧用塗布具１の場合のような、穴にブラシ部を嵌入させる方法には制限されず、例えば、接着剤でブラシ部を軸部材に固定させる方法であってもよい。
【００６３】
以上の説明においては、マスカラ用の化粧用塗布具をについて述べたが、上記各化粧用塗布具は、マスカラ以外の化粧料にも使用することができ、また、マスカラ以外の化粧料に対しては、その化粧料の性状、及び塗布方法等に応じて、前記化粧用塗布部の形状、及び大きさ等を適宜変更することができる。この発明に係る化粧用塗布具に使用することができる化粧料としては、例えば、マニキュア、アイライナー、リップ、リップグロス、アイシャドー、及びファンデーションを挙げることができる。これらの化粧料の中で、この発明に係る化粧用塗布具の構造を考慮すると、この発明に係る化粧用塗布具は、特に、マスカラ及びマニキュアのような、ブラシを使用して塗布する化粧品全般に対して好適に使用することができる。
【００６４】
【発明の効果】
この発明に係る化粧用塗布具は、把持部に指で力を作用させることによって、容易に開封することができるので、手軽に化粧料の塗布に使用することができる。
【００６５】
この発明に係る化粧用塗布具は、化粧用塗布部以外の部分を一体成形することができ、構成部品数が少なく、製造方法も簡易であるので、製造コストを低く抑えることができる。また、この発明に係る化粧用塗布具は、柔軟合成樹脂材料で製造されるので、軽量であり、破損しにくい。したがって、この発明に係る化粧用塗布具は、供試用サンプルとして好適に使用することができ、その他、旅行携帯用の化粧用塗布具、又はホテルで客に提供する化粧用塗布具として好適に使用することができる。
【００６６】
この発明に係る化粧用塗布具は、柔軟合成樹脂材料で製造されるので、容器内の化粧料の量が少なくなったときには、容器の腹部を押圧して、容器内の容積を小さくすることによって、化粧用塗布部に充分量の化粧料を保持させることができる。したがって、この発明に係る化粧用塗布具においては、その内部に収容された化粧料を実施的にすべて利用することが可能である。
【００６７】
また、マスカラは凝固しやすい性質を有するが、この発明に係る化粧用塗布具においては、容器の腹部を押圧することによって、容器内のマスカラを攪拌することができるので、マスカラの凝固を防止することができる。
【００６８】
この発明に係る化粧用塗布具は、種々の形状及び性質を備えた化粧用塗布部を有することができるので、多様な化粧料に対して使用することができ、また、多様な塗布方法を実施することが可能である。
【００６９】
この発明に係る化粧用塗布具は、容器部及び軸部材の構造を工夫することによって、開封した後に、再密封可能にすることができるので、化粧料が零れるのを防止することができ、化粧料の保存が可能になり、化粧料が無駄になることがなく、また数度にわたって化粧料の使用が可能になる。
【００７０】
この発明に係る化粧用塗布具は、上記のように、基本的に低コストで製造することができるので、コスト増となるような改良を施しても、全体としてコスト高になることがないので、種々の改良を行うことができる。
【図面の簡単な説明】
【図１】図１は、化粧用塗布具１の、一部を断面図で示した平面図である。
【図２】図２は、化粧用塗布具１の正面図である。
【図３】図３は、化粧用塗布具１の断面平面図である。
【図４】図４は、ブラシ部３の側面図である。
【図５】図５は、軸体部８の側面図である。
【図６】図６は、化粧用塗布具１における肉薄切断部１６の周辺部分の拡大断面平面図である。
【図７】図７は、筒状体２１の開口部２２を示す説明図である。化粧用塗布具１の容器部５及び把持部４を指で掴み、把持部４に、図８の矢印Ａ
【図８】図８は、把持部４に加えられる力の方向を示す説明図である。
【図９】図９は、化粧用ブラシ７が容器２４から引き出される状態を示す化粧用ブラシ７及び容器２４の断面図である。
【図１０】図１０は、化粧用ブラシ７が容器２４から引き出された状態を示す化粧用ブラシ７及び容器２４の斜視図である。
【図１１】図１１は、塗布具前駆体２９の断面正面図である。
【図１２】図１２は、ブラシ部３が装着された塗布具前駆体２９の断面正面図である。
【図１３】図１３は、化粧用塗布具１の断面正面図である。
【図１４】図１４は、化粧用塗布具３４において、把持部３５を引っ張った状態を示す説明図である。
【図１５】図１５は、化粧用塗布具３４において、把持部３５を押した状態を示す説明図である。
【図１６】図１６は、初期状態における化粧用塗布具４１の断面平面図である。
【図１７】図１７は、容器閉塞部６０が環状リブ６２に嵌入した状態における化粧用塗布具４１の断面平面図である。
【図１８】図１８は、ループ状構造を有するブラシ部７０の平面図である。
【図１９】図１９は、この発明に係る化粧用塗布具の化粧用塗布部に使用可能なフロッキーブラシ部６６の平面図である。
【図２０】図２０は、この発明に係る化粧用塗布具の化粧用塗布部に使用可能な筆ブラシ部６５の平面図である。
【図２１】図２１は、筆ブラシ部６５の製造方法を示す説明図である。
【図２２】図２２は、管状金具７２に凹部を有する筆ブラシ部７１の平面図である
【符号の説明】
１・・化粧料塗布具、２・・軸部材、３・・ブラシ部、４・・把持部、５・・容器部、６・・密封空間、７・・化粧用ブラシ、８・・軸体部、９・・ブラシ毛、１０・・軸線、１１・・折り曲げ点、１２・・固定部、１３・・保持部、１４・・円筒部、１５・・端面部、１６・・肉薄切断部、１７・・容器本体部、１８・・肩部、１９・・胴部、２０・・末端部、２１・・筒状体、２２・・開口部、２３・・穴、２４・・容器、２５・・軸体、２６・・開口、２７・・開口部、２８・・腹部、２９・・塗布具前駆体、３０・・開口、３１・・内部空間、３２・・マスカラ、３３・・肩部、３４・・化粧用塗布具、３５・・把持部、３６・・軸部材、３７・・肉薄切断部、３８・・容器部、３９・・胴部、４１・・化粧料塗布具、４２・・軸部材、４４・・把持部、４５・・容器部、４６・・密封空間、４７・・化粧用ブラシ、５６・・肉薄切断部、５７・・容器本体部、６０・・容器閉塞部、６１・・軸部、６２・・環状リブ、６３・・栓体部、６４・・容器、６５・・筆ブラシ部、６６・・フロッキーブラシ部、６７・・円柱状突起、６８・・ブラシ毛、６９・・管状金具、７０・・ブラシ部、７１・・ブラシ部、７２・・管状金具、７３・・軸部材、７４・・凹部、Ａ・・矢印、Ｂ・・矢印、Ｃ・・矢印
【図１】
0004745514.tif 000002
【図２】
0004745514.tif 000003
【図３】
0004745514.tif 000004
【図４】
0004745514.tif 000005
【図５】
0004745514.tif 000006
【図６】
0004745514.tif 000007
【図７】
0004745514.tif 000008
【図８】
0004745514.tif 000009
【図９】
0004745514.tif 000010
【図１０】
0004745514.tif 000011
【図１１】
0004745514.tif 000012
【図１２】
0004745514.tif 000013
【図１３】
0004745514.tif 000014
【図１４】
0004745514.tif 000015
【図１５】
0004745514.tif 000016
【図１６】
0004745514.tif 000017
【図１７】
0004745514.tif 000018
【図１８】
0004745514.tif 000019
【図１９】
0004745514.tif 000020
【図２０】
0004745514.tif 000021
【図２１】
0004745514.tif 000022
【図２２】
0004745514.tif 000023